(57)【要約】【課題】  特定利用者が点検中に遠隔監視センタや保守員と直接連絡を取ることある。【解決手段】  点検・修理時に保守員の操作のもとに点検指示信号を出力する点検スイッチ部１３と、特定階の乗場５の乗場操作ボタン２２近傍に取り付ける通話連絡装置２４と、前記エレベータ制御装置により取得される運行状況情報を伝送する遠隔監視用電話配線６と通話連絡装置２４に接続される通話連絡用配線７とを選択的に切替え可能に設けられ、特に点検スイッチ部１３から点検指示信号を受けたとき、遠隔監視センタに接続される電話回線８を前記通話連絡用配線７に切替え接続する回線切替装置３とを備え、通話連絡装置２４は、特定の利用者が点検中や修理中にエレベータを利用する際、当該特定の利用者による操作を受付けて自動ダイヤルを行い、前記遠隔監視センタの監視員や保守員との間で連絡用通話路を形成する手段を有するエレベータ連絡装置である。【選択図】図１
2008087918.tif 000002
【特許請求の範囲】
【請求項１】
エレベータ制御装置で取得されるエレベータの運行状況情報を電話回線を介して遠隔監視センタに伝送するエレベータ監視システムにおいて、
前記エレベータ制御装置又は乗りかご内に設けられ、点検・修理時に保守員の操作のもとに点検指示信号を出力する点検スイッチ部と、
特定階の乗場の乗場操作ボタン近傍に取り付ける通話連絡装置と、
前記エレベータ制御装置により取得される前記エレベータの運行状況情報を伝送する遠隔監視用電話配線と前記通話連絡装置に接続される通話連絡用配線とを選択的に切替え可能に設けられ、常時は前記電話回線を前記遠隔監視用電話配線に接続し、前記点検スイッチ部から点検指示信号を受けたとき、当該電話回線を前記通話連絡用配線に切替え接続する回線切替手段とを備え、
前記通話連絡装置は、特定のエレベータ利用者が点検中や修理中にエレベータを利用する際、当該特定のエレベータ利用者による操作を受付けて自動ダイヤルを行い、前記遠隔監視センタの監視員、前記エレベータ制御盤側又は前記乗りかご内に居る保守員との間で連絡用通話路を形成する手段を有することを特徴とするエレベータ連絡装置。
【請求項２】
前記通話連絡装置は、点検・修理時に特定階の乗場の乗場操作ボタン近傍に取り付けることを特徴とする請求項１に記載のエレベータ連絡装置。
【請求項３】
前記通話連絡装置は、エレベータの点検・修理時にブラケットを介して予め前記乗場操作ボタン下部に形成される被係合部に着脱自在に取り付けることを特徴とする請求項１に記載のエレベータ連絡装置。
【発明の詳細な説明】
【技術分野】
【０００１】
本発明は、特定のエレベータ利用者がエレベータの点検・修理中に連絡を取るエレベータ連絡装置に関する。
【背景技術】
【０００２】
従来、幾つかのエレベータ連絡装置が考えられている（特開平１−２９７９６０号公報）。  
その１つのエレベータ連絡装置は、乗りかご内に設置される通報装置（通常、インターホンと称する）と管理人室内の通報装置とを専用ラインで接続し、エレベータの異常発生時、エレベータ利用者が乗りかご内の非常ボタンを操作し、乗りかご内の通報装置から異常状態を発報する。管理人室側の通報装置が異常発報を受けると、自身の通報装置である送受話機を専用ラインに接続し、乗りかご内の通報装置側の送受話機との間の通話路を形成する。これにより、乗りかご内のエレベータ利用者と管理人室内の管理人との間で相互に連絡を取り合うことが可能である。
【０００３】
他の１つは、乗りかご内の通報装置の確実な通報動作を確認するための点検連絡装置が挙げられる。この点検連絡装置は、非常ボタン、点検スイッチ及び送受話機等からなる乗りかご内の通報装置と、呼び検出器及び発報装置を有する同一ビル内端末と、異常通話処理部及び点検通話処理部を有する遠隔監視センタとで構成されている。
【０００４】
エレベータ利用者は、エレベータの異常時、乗りかご内の非常ボタンを操作し、異常呼びを同一ビル内端末内の呼び検出器を介して発報装置に送る。発報装置は、自動ダイヤルを行い、遠隔監視センタの異常通話処理部の監視員を呼び出す。
【０００５】
一方、乗りかご内の通報装置の点検時、保守員は、非常ボタン及び点検スイッチの順序で操作し、点検信号を同一ビル内端末の発報装置に送出する。発報装置は、自動ダイヤルした後、点検信号を遠隔監視センタに送信する。遠隔監視センタは、点検信号を受信すると、異常通話処理部から点検通話処理部に切替え、当該点検通話処理部を電話回線に接続する。ここで、遠隔監視センタの点検通話処理部は、エレベータ保守員の音声信号を受信したとき、予め応答内容を録音している応答装置が動作し、所定の音声による応答信号を電話回線を経由して乗りかご内の通報装置である送話機から出力する。これにより、保守員は、乗りかご内の通報装置の通報動作が正常であることを確認できる。
【特許文献１】特開平０１−２９７９６０号公報（図１参照）
【発明の開示】
【発明が解決しようとする課題】
【０００６】
しかしながら、前者の連絡装置は、エレベータ利用者が乗りかごを乗った後、エレベータに異常が生じた時に緊急避難的に使用するものであって、原則的にはそれ以外の用途には使用できない。
【０００７】
また、前者の連絡装置は、エレベータの点検時や修理時、エレベータ利用者が乗場操作ボタンを操作しても、乗場呼びを受付けない状態にある。その結果、一般の利用者は、エレベータの点検中や修理中の間、エレベータを全く利用することができない。
【０００８】
後者の点検連絡装置は、乗りかご内の通報装置の通報動作の点検確認用であり、前者の連絡装置と同様に一般の利用者は全く利用できない。また、点検連絡装置は、遠隔監視センタ側でエレベータ保守員の音声を受信したとき、応答装置から機械的に録音内容を返送するだけであり、エレベータ利用者と保守員が連絡を取り合う機能を備えていない。何れにせよ、エレベータ利用者は点検連絡装置を全く使用できない。
【０００９】
ところで、エレベータ利用者がエレベータを利用しようとした時、当該エレベータが点検中や修理中である場合、前述したように乗場操作ボタンを操作しても、エレベータを呼び寄せることができない。
【００１０】
しかしながら、エレベータ利用者の中には、身体的に不自由な人や重量物の荷物を持った人が含んでおり、今後、高齢化の進行と共に該当する人が益々増える傾向にある。このようなエレベータ利用者は、階段を上がって目的階までいくことができない。その結果、これらエレベータ利用者は、点検作業や修理作業が終わるまで待つか、他人の力を借りなければならない。すなわち、身体的に不自由な人等に対して、多大の不便や負担を強いる結果となり、著しくサービスの低下をきたしている。
【００１１】
本発明は上記事情に鑑みてなされたもので、特定のエレベータ利用者がエレベータの点検・修理中であっても、遠隔監視センタや点検・修理中の保守員と連絡を取ることが可能なエレベータ連絡装置を提供することを目的とする。
【課題を解決するための手段】
【００１２】
上記課題を解決するために、エレベータ制御装置で取得されるエレベータの運行状況情報を電話回線を介して遠隔監視センタに伝送するエレベータ監視システムにおいて、
前記エレベータ制御装置又は乗りかご内に設けられ、点検・修理時に保守員の操作のもとに点検指示信号を出力する点検スイッチ部と、特定階の乗場の乗場操作ボタン近傍に取り付ける通話連絡装置と、前記エレベータ制御装置により取得される前記エレベータの運行状況情報を伝送する遠隔監視用電話配線と前記通話連絡装置に接続される通話連絡用配線とを選択的に切替え可能に設けられ、常時は前記電話回線を前記遠隔監視用電話配線に接続し、前記点検スイッチ部から点検指示信号を受けたとき、当該電話回線を前記通話連絡用配線に切替え接続する回線切替手段とを備え、
前記通話連絡装置は、特定のエレベータ利用者が点検中や修理中にエレベータを利用する際、当該特定のエレベータ利用者による操作を受付けて自動ダイヤルを行い、前記遠隔監視センタの監視員、前記エレベータ制御盤側又は前記乗りかご内に居る保守員との間で連絡用通話路を形成する手段を設けたエレベータ連絡装置である。
【００１３】
なお、前記通話連絡装置としては、点検・修理時のみ、特定階の乗場の乗場操作ボタン近傍に取り付けるものであり、また通話連絡装置はブラケットを介して前記乗場操作ボタン下部に予め形成される被係合部に着脱自在に取り付ける構成である。
【発明の効果】
【００１４】
本発明によれば、特定のエレベータ利用者がエレベータの点検・修理中であっても、遠隔監視センタの監視員や点検・修理中の保守員と連絡を取り合うことにより、特定のエレベータ利用者が例えば点検中のエレベータを利用でき、サービスの向上を図ることができる。
【発明を実施するための最良の形態】
【００１５】
以下、本発明の実施形態について図面を参照して説明する。  
図１は本発明に係るエレベータ連絡装置の一実施の形態を適用したエレベータ監視システムの全体構成図である。  
同図において、１はエレベータ制御盤、２は遠隔監視装置、３は回線切替装置、４は遠隔監視センタ（同一ビル内の管理人室を含む。以下，同じ）に設置される監視制御卓などの遠隔監視操作装置、５は特定階（基準階）の乗場である。なお、エレベータ制御盤１と遠隔監視装置２とを合せてエレベータ制御装置と総称する。
【００１６】
前記回線切替装置３と遠隔監視装置２とは遠隔監視用電話配線６により接続され、回線切替装置３と乗場設備５とは通話連絡用電話配線７により接続されている。また、回線切替装置３には電話回線８を介して遠隔監視操作装置４が接続されている。ここで、電話回線８とは、一般的に公衆電話回線及び当該公衆電話回線を利用したデータ通信を行う回線を意味する。
【００１７】
エレベータ制御盤１は、昇降路上部の機械室、三方枠内部、昇降路内部の何れか一個所に設置され、マイクロコンピュータによって構成される。エレベータ制御盤１は、乗場呼び又はかご呼びによる呼び登録後、シーケンスプログラムに従って呼び登録階にエレベータを運行制御する運行制御部１１、エレベータの運行に関する各種の運行状況情報を取り込んで記録し管理する運行管理部１２及びエレベータの点検時又は修理時に点検指示信号を出力する点検スイッチ部１３が設けられている。
【００１８】
点検スイッチ部１３は、図２に示すように正負電源ライン間に点検スイッチ１３ａと点検リレー１３ｂとが直列に接続され、点検時又は修理時に点検スイッチ１３ａをオン操作すると、点検リレー１３ｂが付勢され、点検指示信号を出力する。つまり、点検リレー１３ｂの付勢動作による点検指示信号は運行制御部１１及び回転切替回路３に送られる。運行制御部１１は、点検スイッチ部１３から点検指示信号を受け取ると、乗場呼び又はかご呼びによる受付けを禁止する。一方、回転切替回路３は、点検リレー１３ｂの消勢及び付勢動作に連動して切替え動作を行う。
【００１９】
遠隔監視装置２は、通常，エレベータ制御盤１に隣接するか、或いはエレベータ制御盤１内に設けられることから、エレベータ制御盤１と同様に昇降路上部の機械室、三方枠内部、昇降路内部の何れかの個所に設置される。
【００２０】
遠隔監視装置２は、運行管理部１２に保存されている運行状況情報のうち、故障に関する情報であれば直ちに、また、緊急を必要としない情報の場合には定期的に送信する通信機能を持っている。なお、エレベータ制御盤１又は遠隔監視装置２には送受話機を備えた通報装置（図示せず）が設けられている。
【００２１】
回線切替装置３は、点検スイッチ１３ａのオン・オフ動作に連動して切替え動機を行うものである。すなわち、回線切替装置３は、図２に示すように点検スイッチ１３ａのオフ時である非点検・修理時には電話回線８を遠隔監視用電話配線６側に接続し、点検スイッチ１３ａのオン時，つまり点検・修理時には電話回線８を通話連絡用電話配線７側に切替え接続する。
【００２２】
遠隔監視センタ（同一ビル内の管理人室を含む）の遠隔監視操作装置４は、エレベータ保守会社等によって管理され、広域に渡って散在する各エレベータの運行状態を監視する機能を持っている。遠隔監視センタの監視員は、監視結果からエレベータの異常と判断したときに当該エレベータの設置現場に保守員を派遣するなどの保守サービスを行う。なお、遠隔監視操作装置４には送受話機を備えた通報装置が設けられている。
【００２３】
乗場５は、通常，ビルの各階に設置されているが、本発明装置では、ビルの地上階である基準階（例えば１階）だけに設置される特定階の乗場を想定している。特定階の乗場５としては、図３に示すように乗場ドア２１の一側面部または乗場ドア２１の一側方の壁等に取り付けられ、乗場呼びの操作を行う乗場操作ボタン２２と、エレベータの点検時又は修理時に乗場操作ボタン２２下部に予め形成される被係合部（図示せず）にブラケット２３を介して機械的に係合または引掛けて連結する通話連絡装置２４とが設けられている。
【００２４】
通話連絡装置２４の一構成例としては、図５４示すように操作ボタン２６と、当該操作ボタン２６から出力される操作信号を受けたとき、自動ダイヤルを行うとともに、マイクロホン等の送話機２７から入力される音声信号を送信する発報送信部２８と、通話連絡用電話配線７を通ってくる音声信号を受信し、スピーカなどの受話機２９から鳴動出力させる受信部３０とを備えている。
【００２５】
なお、通話連絡装置２４として、例えば数値キーが設けられ、例えば特定のエレベータ利用者に限り、数値キーを操作して連絡先×××番に電話連絡をして下さいという内容が表示されている場合、操作ボタン２６に代えて数値キーによる操作が必要となる。ここで、連絡先とは、通報装置（図示せず）を備えている遠隔監視センタか、エレベータ制御盤１又は遠隔監視装置２の何れかである。
【００２６】
なお、通話連絡用電話配線７は、予め回線切替装置３から基準階の乗場５の乗場操作ボタン２２下部近傍まで敷設されており、必要に応じて通話連絡用電話配線７の端部が乗場操作ボタン２２下部に埋め込まれている配線被接続端子（図示せず）に接続される。
【００２７】
よって、乗場操作ボタン２２下部の被嵌合部にブラケット２３を介して通話連絡装置２４を取り付けたとき、乗場操作ボタン２２下部の配線被接続端子とブラケット２３に埋設された通話連絡装置２４の入出端子とがワンタッチの状態で電気的に接続可能な構成としてもよい。
【００２８】
次に、以上のようなエレベータ連絡装置に関し、特にエレベータの点検・修理時の作用について図５を参照して説明する。
【００２９】
保守員は、点検・修理作業を行うに際し、特定階の乗場５を含む各階の乗場ドア付近に点検札を取り付けた後（Ｓ１）、特定階の乗場５に通話連絡装置２４を取り付ける（Ｓ２）。つまり、通話連絡装置２４は、例えば取り付け用のブラケット２３を介して乗場操作ボタン２２下部に機械的に係合するなどして取り付ける。なお、通話連絡装置２４の取り付けにあっては、ブラケット２３を用いることなく、乗場操作ボタン２２下部に設けられているフックに引掛けて係合させる構成であっても構わない、
通話連絡装置２４を乗場操作ボタン２２下部に連結した後、さらに既に回線切替装置３から乗場操作ボタン２２近傍まで敷設される通話連絡用電話配線７に接続する（Ｓ３）。通話連絡装置２４と通話連絡用電話配線７とは、図４に示すように予め乗場操作ボタン２２下部に配線被接続端子（ジャック）３１を設け、通話連絡装置２４に付設される接続端子（ピン）を差し込むことにより、電気的に接続してもよい。
【００３０】
以上のようにして通話連絡用電話配線７に通話連絡装置２４を接続した後、保守員はエレベータ制御盤１に設置される点検スイッチ１３ａをオン操作する（Ｓ４）。ここで、点検スイッチ１３ａをオン操作すると、図２に示すように点検リレー１３ｂが付勢動作する。その結果、点検リレー１３ｂから点検指示信号が出力され、運行制御部１１及び回転切替回路３に送られる。
【００３１】
よって、運行制御部１１は、点検指示信号を受けて乗場呼び又はかご呼びによる受付けを禁止する一方、回転切替回路３は、点検リレー１３ｂの付勢動作に伴って、電話回線８を遠隔監視用電話配線６側から通話連絡用電話配線７側に切替え接続する。これにより、少なくとも通話連絡装置２４は、回転切替回路３を介して電話回線８と接続される（Ｓ５）。
【００３２】
以上のような一連の操作により、実際の点検作業を開始するための前準備が完了する。この点検作業の前準備が完了した後、保守員による点検作業が開始され（Ｓ６）、エレベータは点検中となる（Ｓ７）
エレベータの点検作業中、身体的に不自由な人や重量物の荷物を持った人が基準階の乗場５に設置される通話連絡装置２４に近づき、当該通話連絡装置２４に記述される内容に基づき、操作ボタン２６を操作する。通話連絡装置２４の発報送信部２８は、操作ボタン２６が操作されると、特定人による操作有りと判断し（Ｓ８）、予め定める連絡先（例えば遠隔監視センタ）に自動ダイヤルを発報し、電話回線８を介して遠隔監視センタとの間で通話路が形成される。
【００３３】
ここで、身体的に不自由な人等は、通話路が形成された後、遠隔監視センタの監視員に自身の現状を連絡する（Ｓ９）。遠隔監視センタの監視員は保守員が携行する携帯端末に状況を連絡し、点検一時解除を要請する。また、遠隔監視用電話配線６とは別に、電話回線８の一回線がエレベータ制御盤１又は遠隔監視装置２に接続されている場合には、遠隔監視センタの監視員は該当電話回線を通して保守員に現状を連絡する。
【００３４】
なお、遠隔監視用電話配線６とは別に、電話回線８の一回線がエレベータ制御盤１又は遠隔監視装置２に接続されている場合、通話連絡装置２４に記述される内容に基づき、エレベータ制御盤１又は遠隔監視装置２に自動ダイヤルを発報し、保守員に現状を連絡してもよい。
【００３５】
ステップＳ１０において、点検作業が終了すると、保守員は点検スイッチ１３ａをオフとする（Ｓ１１）。点検スイッチ１３ａがオフすると、点検リレー１３ｂが消勢し、通常の状態に戻る。すなわち、点検リレー１３ｂに消勢に伴い、回線切替装置３は、電話回線８を通話連絡用電話配線７側から遠隔監視用電話配線６側に切替え接続する（Ｓ１２）。また、保守員は、通話連絡用電話配線７から通話連絡装置２４を切り離した後（Ｓ１３）、基準階の乗場５に設置される乗場操作ボタン２２下部から通話連絡装置２４を取り外す（Ｓ１４）。最後に、保守員は、点検札を取り外（Ｓ１５）、一般のエレベータ利用者が自由にエレベータを利用可能な状態となる。
【００３６】
従って、以上のような実施の形態によれば、本来、エレベータの点検中や修理中は乗場呼びを受付けないが、点検・修理の際に通話連絡装置２４を、特定の乗場５の乗場操作ボタン２２下部の被係合部に係合するとともに、通話連絡用電話配線７に接続した後、点検スイッチ部１３の点検スイッチ１３ａをオン操作すれば、回線切替装置３が自動的に切替えて電話回線８を通話連絡用電話配線７側に接続する。
【００３７】
よって、身体的に不自由な人や重量物の荷物を持った人などの特定のエレベータ利用者は、通話連絡装置２４を通して遠隔監視センタの監視員またはエレベータ制御装置側の保守員との間で直接連絡を取ることが可能となる。その結果、保守員による点検・修理等の一時的な解除によってエレベータを運行し、点検・修理作業が終了するまで待つことなく、特定のエレベータ利用者を目的階まで運ぶことができ、ひいてはサービスの一層の向上を図ることができる。
【００３８】
（その他の実施の形態）
（１）  上記実施の形態は、エレベータ制御盤１と遠隔監視装置２とよりなるエレベータ制御装置側に設置される点検スイッチ部１３の動作に連動して回線切替装置３を切替え動作させる構成としたが、エレベータ乗りかご（図示せず）のスイッチボックス内の点検スイッチのオン・オフ動作に連動して回線切替装置３を切替え動作させる構成であってもよい。また、エレベータ制御装置側及び乗りかご側の点検スイッチの何れのオン・オフ動作に連動して回線切替装置３を切替え動作する構成であってもよい。
【００３９】
これにより、保守員が乗りかご内に乗って点検している場合、特定のエレベータ利用者は、既に乗りかごのかご操作盤に設置されている従来周知の如く送受話機を備えた通報装置を利用して、特定のエレベータ利用者と直接連絡を取り合いながら、特定階の乗場５にエレベータを向かわせることができる。
【００４０】
（２）  また、通話連絡装置２４は、エレベータの点検・修理時に乗場操作ボタン２２下部に取り付けるようにしたが、常時，基準階の乗場操作ボタン２２の近傍に取り付けてもよい。
【００４１】
その他、本発明は、上記実施の形態に限定されるものでなく、その要旨を逸脱しない範囲で種々変形して実施できる。
【図面の簡単な説明】
【００４２】
【図１】本発明に係るエレベータ連絡装置の一実施の形態を適用したエレベータ監視システムの全体構成図。
【図２】図１に示す点検スイッチ部と回線切替装置との接続関係を説明する構成図。
【図３】本発明に係るエレベータ連絡装置の一実施の形態を示す構成図。
【図４】図１に示す通話連絡装置の一構成例を示す図。
【図５】エレベータの点検作業の一連の流れを説明する図。
【符号の説明】
【００４３】
１…エレベータ制御盤、２…遠隔監視装置、３…回線切替装置、４…遠隔監視センタの遠隔監視操作装置、５…特定階（基準階）の乗場、６…遠隔監視用電話配線、７…通話連絡用電話配線、８…電話回線、１３…点検スイッチ部、１３ａ…点検スイッチ、２２…乗場操作ボタン、２３…ブラケット、２４…通話連絡装置。
【図１】
2008087918.tif 000003
【図２】
2008087918.tif 000004
【図３】
2008087918.tif 000005
【図４】
2008087918.tif 000006
【図５】
2008087918.tif 000007